(57)【特許請求の範囲】
【請求項１】
抽出すべき嗜好品が収容された飲料用抽出フィルターが着脱自在に載置されるホルダーと、
このホルダーの下部に着脱自在に取り付けられ、飲料用抽出フィルターから抽出された飲料が収容される飲料容器と、
前記ホルダーの上部に着脱自在に取り付けられ、飲料用抽出フィルターに供給すべき液体を収容可能な本体と、
を備え、
前記本体の下部には、飲料用抽出フィルターに形成された液体通過領域に圧接する密閉パッキンと、その中央部に形成された液体通過孔とを備え、
前記密閉パッキンは前記本体の下部から突出していることを特徴とする嗜好品抽出機。
【請求項２】
前記本体は筒体のシリンダーとして機能し、本体内を上下方向に摺動可能なポンプを備えたことを特徴とする請求項１に記載の嗜好品抽出機。
【請求項３】
前記ホルダーの底部にスリットが形成されたパッキン部材が取り付けられ、前記スリットは、抽出圧力が作用したときに開くように設定されていることを特徴とする請求項１又は２に記載の嗜好品抽出機。
【請求項４】
前記ポンプは円筒形に形成されたポンプ本体と、このポンプ本体の下部に設けられたパッキンを備え、このパッキンは前記円筒形の外径より大きな圧接部と、この圧接部から徐々に小径になるテーパ部を備えていることを特徴とする請求項２に記載の嗜好品抽出機。
【請求項５】
前記ポンプは、前記飲料用抽出フィルターを少なくとも１つ収容可能な収容空間を備えていることを特徴とする請求項２又は４に記載の嗜好品抽出機。
【請求項６】
前記液体通過孔の周囲に同芯状に第１リング突起と第２リング突起が形成されていることを特徴とする請求項１〜５のいずれか１項に記載の嗜好品抽出機。
【請求項７】
前記本体の上部に設けられ、本体内に収容された液体に圧力を作用させることで、飲料用抽出フィルターに液体を供給することが可能なエアポンプを備えたことを特徴とする請求項１に記載の嗜好品抽出機。
【請求項８】
前記本体は液体タンクであり、この液体タンク内の液体を吸引して飲料用抽出フィルターへ供給する液体ポンプを備えたことを特徴とする請求項１に記載の嗜好品抽出機。
【発明の詳細な説明】
【技術分野】
【０００１】
本発明は、コーヒー等の嗜好品を抽出するための嗜好品抽出機に関するものである。
【背景技術】
【０００２】
コーヒー等の嗜好品を抽出するために種々の抽出機が知られている。特に、手軽にコーヒーを抽出可能な抽出機が市場で要求されている。
【０００３】
例えば、下記非特許文献１では、飲料容器であるコップの上に着脱自在に載置されるドリッパーからなる簡易なコーヒー抽出機を開示している。この抽出機は、ドリッパーにペーパフィルターをセットして１人分のコーヒー粉末を入れる。その後、電気ポットなどで準備したお湯を注ぐことで、コップに１人分のコーヒーを抽出することができる。
【０００４】
また、下記非特許文献２では、コップの上に載置されるキャップにペーパフィルターをセットする。このキャップの上に筒状のチャンバーを置き、チャンバーの上からコーヒー粉末をチャンバー内に入れる。その後、チャンバー内にお湯を注ぎ、プランジャーをチャンバーに差し込みゆっくりと圧力を掛けることで、コップ内に抽出されたコーヒーが注ぎ込まれる。
【先行技術文献】
【特許文献】
【０００５】
【非特許文献１】“ワンカップ  カフェオールＨＡＲＩＯネットショップ”、平成２７年１０月１６日、インターネット＜URL:http://ameblo.jp/hiromtsukamoto/entry-11490685453.html＞
【非特許文献２】“エアロプレスコーヒーメーカー”、平成２７年１０月１６日、小川珈琲、インターネット＜URL:http://www.oc-ogawa.co.jp/products/tools/aeropress/＞
【発明の概要】
【発明が解決しようとする課題】
【０００６】
上記の先行技術はいずれもペーパフィルターをセットし、コーヒー粉末を自分で入れる構成になっている。いずれも簡易な構成ではあるが、使用済みのコーヒー粉末の処理が煩雑である。また、非特許文献２の構成は、チャンバーにも使用済みコーヒー粉末が付着する可能性があり、やはり後処理が煩雑である。
【０００７】
本発明は上記実情に鑑みてなされたものであり、その課題は、簡易にコーヒー等の嗜好品を抽出できる抽出機でありながら、使用後の洗浄等の処理が簡単な嗜好品抽出機を提供することである。
【課題を解決するための手段】
【０００８】
上記課題を解決するため本発明に係る嗜好品抽出機は、
抽出すべき嗜好品が収容された飲料用抽出フィルターが着脱自在に載置されるホルダーと、
このホルダーの下部に着脱自在に取り付けられ、飲料用抽出フィルターから抽出された飲料が収容される飲料容器と、
前記ホルダーの上部に着脱自在に取り付けられ、飲料用抽出フィルターに供給すべき液体を収容可能な本体と、を備えたことを特徴とするものである。
【０００９】
かかる構成による嗜好品抽出機の作用・効果は以下の通りである。まず、飲料用抽出フィルターが着脱自在に載置されるホルダーを備えている。飲料用抽出フィルターは完成されたユニットであり、嗜好品の粉末等が外部に出てくることはなく、嗜好品抽出後は飲料用抽出フィルターをそのまま廃棄すればよい。ホルダーの下にはコップとして使用可能な飲料容器が設けられ、抽出された嗜好品は飲料容器内に収容される。また、ホルダーの上部には本体が着脱自在に取り付けられ、この本体を介して飲料用抽出フィルターに液体（湯など）を供給することができる。この構成によれば、ホルダーや本体に嗜好品が付着するような問題はなく、洗浄も容易である。従って、簡易にコーヒー等の嗜好品を抽出できる抽出機でありながら、使用後の洗浄等の処理が簡単な嗜好品抽出機を提供することができる。
【００１０】
本発明において、前記本体は筒体のシリンダーとして機能し、本体内を上下方向に摺動可能なポンプを備えたことが好ましい。
【００１１】
かかる構成によれば、シリンダーとして機能する本体内に液体を収容し、上からポンプで押すことで液体が飲料用抽出フィルター内に供給される。ポンプを摺動させるのは手動でもよいし電動でもよい。手動にすれば、構成が簡素化するので好ましい。
【００１２】
本発明において、前記ホルダーの底部にスリットが形成されたパッキン部材が取り付けられ、前記スリットは、抽出圧力が作用したときに開くように設定されていることが好ましい。
【００１３】
本体に液体を収容したときに、抽出動作を行う前に、その液体が自重により飲料用抽出フィルターに入り込み、飲料用抽出フィルターの底部から嗜好品が抽出されてしまうことがあり、そのまま飲料容器の方向へ滴下することがある。従って、飲料容器をセットしていない時に、予期しない熱いお湯が自然落下して火傷をする可能性もある。かかる危険性を回避するため、ホルダーの底部にスリットが形成されたパッキンを取り付けておき、抽出圧力が作用したときに初めてスリットを介して嗜好品が落下するようにする。これにより、不要な液漏れや火傷の危険性を回避することができる。
【００１４】
本発明において、前記ポンプは円筒形に形成されたポンプ本体と、このポンプ本体の下部に設けられたパッキンを備え、このパッキンは前記円筒形の外径より大きな圧接部と、この圧接部から徐々に小径になるテーパ部を備えていることが好ましい。
【００１５】
ポンプを使用して手動で抽出するとき抽出時の負荷を軽減することが好ましい。そこでポンプ本体の下部にパッキンを設け、このパッキンで内部を密封可能にする。パッキンはテーパ状になっており全域が本体の内壁に圧接するのではなく、圧接部のみが圧接するようなテーパ部を備えている。このような構成によれば、手動でポンプを上下摺動させるときにポンプを上下方向に垂直な軸線周りに回転することができ、ポンプを本体に挿入したり抜くときの負荷を軽減することができる。
【００１６】
本発明に係る前記ポンプは、前記飲料用抽出フィルターを少なくとも１つ収容可能な収容空間を備えていることが好ましい。
【００１７】
ポンプに係る収容空間を設けることで、飲料用抽出フィルターを収容させることができ、外出で持ち出すときなどに便利である。
【００１８】
本発明に係る前記本体下部には、飲料用抽出フィルターに形成された液体通過領域に圧接する密閉パッキンと、その中央部に形成された液体通過孔が形成されていることが好ましい。
【００１９】
例えば、飲料用抽出フィルターの中には、蓋部分の中央のみ（液体通過領域）から液体を注入させるような構成がある。かかる場合、蓋部分の中央以外に液体が流れないようにする必要がある。そこで液体通過領域に圧接する密閉パッキンを設け、その中央部に液体通過孔を設けることで、液体通過領域を密封し確実に液体を飲料用抽出フィルターに抽入することができる。
【００２０】
本発明において、前記本体の上部に設けられ、本体内に収容された液体に圧力を作用させることで、飲料用抽出フィルターに液体を供給することが可能なエアポンプを備えたことが好ましい。
【００２１】
本体内の液体を飲料用抽出フィルターに供給する方法として、エアポンプを本体上部に設けてもよい。本体に液体を収容し、上部に設けられたエアポンプから液体に向けてエア圧力を供給することで、液体を飲料用抽出フィルターに供給することができる。エアポンプを用いることで常に一定の濃さの飲料を抽出することができる。
【００２２】
本発明において、前記本体は液体タンクであり、この液体タンク内の液体を吸引して飲料用抽出フィルターへ供給する液体ポンプを備えたことが好ましい。
【００２３】
かかる構成によれば、液体ポンプを用いることで常に一定の濃さの飲料を抽出することができる。
【図面の簡単な説明】
【００２４】
【図１】第１実施形態に係るコーヒー抽出機の外観斜視図を示す図
【図２】コーヒー抽出機を構成する部材を示す外観斜視図
【図３】コーヒー抽出機の縦断面図を示す図
【図４】ホルダーを上方から見た斜視図
【図５】ホルダーの構造を示す断面図
【図６】本体下部の拡大断面図
【図７】コーヒー抽出フィルターの構成を示す断面図
【図８】コーヒー抽出フィルターの構成を示す分解斜視図
【図９Ａ】コーヒーを抽出するときの動作を示す図
【図９Ｂ】コーヒーを抽出するときの動作を示す図
【図９Ｃ】コーヒーを抽出するときの動作を示す図
【図９Ｄ】コーヒーを抽出するときの動作を示す図
【図１０】第１実施形態の変形例を示す断面図
【図１１】第２実施形態に係るコーヒー抽出機の構成を示す断面図
【図１２】第３実施形態に係るコーヒー抽出機の構成を示す断面図
【図１３】第３実施形態に係るコーヒー抽出機の構成を示す断面図
【発明を実施するための形態】
【００２５】
本発明に係る嗜好品抽出機の好適な実施形態を図面を用いて説明する。ここでは嗜好品の例としてコーヒーを挙げて説明するが、本発明として嗜好品はコーヒーに限定されず、紅茶、緑茶等の種々の嗜好品の場合にも適用できるものである。
【００２６】
＜第１実施形態＞
第１実施形態に係るコーヒー抽出機（嗜好品抽出機の一例）について説明する。図１は、コーヒー抽出機の外観斜視図を示す。このコーヒー抽出機は主に４つの部材により構成される。図２は、各部材を単独で示す外観斜視図である。コーヒー抽出機は、ホルダー１と、このホルダー１の下部に着脱自在に取り付けられるコップ２（飲料容器に相当）と、ホルダー１の上部に着脱自在に取り付けられる本体３と、本体３の中に摺動可能に挿入されるポンプ４により構成される。
【００２７】
図３は、コーヒー抽出機の縦断面図を示す図である。コップ２は、上部２０と下部２１を有し、上部２０の方が少し径が大きい。ただし、コップ２の形状は種々変更可能である。コップ２の上部２０の上端面にホルダー１が載置される。
【００２８】
図４は、ホルダー１を上方から見た斜視図である。図５は、ホルダー１の構造を示す断面図であり、（ａ）はパッキン１４を組み込んだ状態（ｂ）はパッキン１４を組み込む前の状態を示す。ホルダー１は、コップ２内に挿入される筒状の挿入部１０と、挿入部１０の上部側面から突出するフランジ部１１を備える。フランジ部１１がコップ２の上端面に載置されることで、ホルダー１をコップ２の上に載置することができる。フランジ部１１の上部に筒状の本体支持部１２が設けられ、雌ねじ１２ａが形成されている。以上のように、ホルダー１は、コップ２に対して着脱自在に設置される。本実施形態では、単にホルダー１を載置するだけであるが、係止機構やロック機構を設けて結合する構成を採用してもよい。
【００２９】
また、ホルダー１の挿入部１０の中にフィルター収容部１３が形成されており、後述の飲料用抽出フィルターが収容される。フィルター収容部１３は下方に突出したお椀状に形成されている。フィルター収容部１３の底部には、パッキン支持部１３ａが形成される。
【００３０】
パッキン支持部１３ａには、シリコン製のパッキン１４が圧入および固定される。パッキン１４は円板状であり、円形の平板部１４ａと、平板部１４ａの周囲に設けられた圧入部１４ｂと、平板部１４ａの中央に形成された直線状のスリット１４ｃを備えている。なおスリット１４ｃの形状は直線でなくてもよく、適宜変更が可能である。このスリット１４ｃは、通常は閉じているが所定以上の圧力が作用すると開くことができるように、形状、厚み、材質が設定されている。パッキン１４は、パッキン支持部１３ａに形成されたリング状の溝に圧入部１４ｂを圧入することで、ホルダー１に対して固定することができる。コーヒーが接触する部材であるから、パッキン１４はコーヒー等の嗜好品に対して影響を与えない素材が選択される。また、同じ意味で、接着剤等を使用せずに、圧入によりパッキン支持部１３ａに結合される。
【００３１】
本体３は、ホルダー１の上部に着脱自在に取り付けられる。本体３は、筒状のシリンダーとして形成され、その下部の外表面に雄ねじ３０が形成される。この雄ねじ３０は、ホルダー１に形成された雌ねじ１２ａと螺合可能であり、これにより、両者を結合することができる。なお、ネジ以外に結合方式を用いてもよい。
【００３２】
図６は、本体３の下部の拡大断面図である。本体３の底部中央には、液体排出口３１が設けられている。液体排出口３１はコーヒー抽出フィルターの方向に向いた突出した形状を有している。またこの液体排出口３１の周囲に密閉パッキン３２が設けられている。密閉パッキン３２は、シリコン等の弾性体により形成される。密閉パッキン３２は、中央部に液体通過孔３２ａが形成され、その周囲に同芯状に第１リング突起３２ｂ、第２リング突起３２ｃが形成される。これらの第１・第２リング突起３２ｂ，３２ｃは、後述のコーヒー抽出フィルター５の表面に圧接することができる。これにより、コーヒー注出時に湯が周囲に漏れることを防止している。
【００３３】
ポンプ４は、本体３の中に挿入されて上下方向に摺動可能である。ポンプ４は、円筒形に形成されたポンプ本体４０と、ポンプ本体４０の下部に取り付けられるパッキン４１と、ポンプ本体４０の上部に取り付けられる蓋体４２により構成される。ポンプ本体４０の下部には、係合溝４０ａと底部４０ｂが一体形成されている。この係合溝４０ａにパッキン４１が取り付けられている。パッキン４１は、内径方向に突出した係合突起４１ａを有し、この係合突起４１ａが係合溝４０ａに係合することで、パッキン４１がポンプ４０の下部に取り付けられる。係合突起４１ａの下方に凹部４１ｂが形成され、この凹部４１ｂに底部４０ｂが嵌合する。
【００３４】
パッキン４１は、下方または下方の近傍に圧接部４１ｃを有しており、この圧接部４１ｃが本体３の内壁に圧接する。圧接部４１ｃの上方に行くほど小径になるようにテーパ部４１ｄが形成されている。ポンプ本体４０の外壁面は、本体３の内壁面に対してわずかに隙間が生じるような寸法設定になっている。
【００３５】
蓋部４２は、ほぼ平板状であるが、その裏面の外周に沿って係合溝４２ａが形成される。ポンプ本体４０の上端面には係合突起４０ｅが形成され、蓋体４２の係合溝４２ａが嵌合することで、蓋体４２とポンプ本体４０が結合する。蓋体４２は、ポンプ４に対して着脱自在に構成することができる。また、ポンプ４の内部には収容空間Ｓが形成される。
【００３６】
＜コーヒー抽出フィルターの構成＞
つぎに、コーヒー抽出フィルター（飲料用抽出フィルターの一例に相当）の構成を図７、図８により説明する。なお、抽出フィルターは、本実施形態の構成に限定されるものではない。抽出フィルター５は、コーヒー粉末（嗜好品に相当）が収容されるフィルター部５０と、このフィルター部５０の上部に取り付けられる平板状の蓋部５１とから構成される。
【００３７】
蓋部５１は、フィルター部５０側に位置し、透水性を有していない第１シート部材５２と、この第１シート部材５２の上に積層され、透水性を有する第２シート部材５３と、の二層構造により構成される。フィルター部５０は、不織布により形成され、好ましくは、スパンボンド不織布により形成される。フィルター部５０の上部には空間部Ｍが形成される。この空間部Ｍにより、湯で膨張したコーヒー粉末と湯が滞留接触し、十分な抽出を行うことができる。
【００３８】
第１シート部材５２は、一層もしくは多層の樹脂フィルムにより形成される。第２シート部材５３は、スパンボンド不織布等の不織布により形成される。フィルター部５０には、フランジ５０ａが形成され、このフランジ５０ａにて蓋部５１と接着される。
【００３９】
また、第１シート部材５２と第２シート部材５３も、周縁部Ａ（図８の斜線部参照）および孔部５２ａ（液体通過領域に相当）の周囲Ｃで接着されている。周囲Ｃ（接着領域）の形状は、所定の幅を有するリング状に形成される。周囲Ｃの内径は、孔部５２ａの外径よりも大きくなるように設定される。周縁部Ａの内側と周囲Ｃの外側の空間Ｂと、周囲Ｃの内側の空間Ｄは接着されていない。従って、必要最小限の接着により第１シート部材５２と第２シート部材５３を接着することができる。
【００４０】
第１シート部材５２の中央には舌片状の孔部５２ａが形成される。かかる孔部５２ａは、製造工程において、第１シート部材５２にカットラインＣＬを入れることで形成することができる。カットラインＣＬを入れるのではなく、打ち抜きにより孔部５２ａを形成してもよいが、その場合、小さな廃棄片が発生し、異物混入のトラブルを引き起こす原因となる。そこで、上記カットラインＣＬを形成することで、廃棄片の発生を防止し、上記トラブルの発生を未然に防止することができる。孔部５２ａの大きさは、直径３ｍｍ相当である。
【００４１】
また、第１シート状部材５２と第２シート状部材５３には、それぞれ手で持ちやすくするためのつまみ部５２ｃ，５３ａが一体形成される。ただし、つまみ部５２ｃ，５３ａは必ずしも必要ない。
【００４２】
カットラインＣＬについては、本実施形態ではＣ字状（所定形状に相当）としているが、Ｖ字状等の適宜の形状を採用することができる。
【００４３】
第１シート部材５２の素材については、例えば、ＣＰＰ（無延伸ポリプロピレン）フィルム（厚さ５０μｍ）の一層構造、ＰＥ（ポリエチレン）／ＰＰ（ポリプロピレン）／ＰＥフィルムの三層構造（トータル厚さ５０μｍ）、ＰＰ／ＰＰ／ＰＰフィルムの三層構造（トータル厚さ５０μｍ）等により形成することができる。抽出液の品質、接着性、強度等を考慮して適切な素材を選択することができる。
【００４４】
フィルター部５０を構成する素材としては、例えば、旭化成せんい株式会社製のスパンボンドＹ２５２００を用いることができる。第２シート部材５３を構成する素材としては、例えば、大紀商事株式会社製のオキロンＣＥＷ−３０を使用することができる。
【００４５】
＜コーヒー抽出動作＞
つぎに、第１実施形態に係るコーヒー抽出機を用いてコーヒーを抽出するときの動作を図９Ａ〜Ｄにより説明する。
【００４６】
図９Ａは、本体３をホルダー１の上部から取り外して、ホルダー１のフィルター収容部１３にコーヒー抽出フィルター５をセットした状態を示す。次いで、ホルダー１の上部に本体３を取り付ける。本体３の上部は開口しており、ここから本体内に湯Ｗを注ぐ（図９Ｂ）。注がれた湯Ｗは、コーヒー抽出フィルター５内に自然落下していくが、抽出されたコーヒーがコップ２にまで落下することはない。フィルター収容部１３の下部にはパッキン１４が設けられており、自然落下の力ではパッキン１４のスリット１４ｃを通過することができない。
【００４７】
つぎに、本体３の上部からポンプ４を挿入する（図９Ｃ）。ポンプ４を挿入したときに、湯Ｗの上に空気層Ａｉが形成され、ポンプ４の下部に取り付けられたパッキン４１の底面が、空気層Ａｉを押していくので、その下にある湯が液体排出口３１、液体通過孔３２ａを介して抽出フィルター５に供給される。これにより、湯がコーヒー抽出フィルター５の内部に入り込み、コーヒーが抽出される。湯は抽出フィルター５の上面の中央部のみから供給され、周囲に漏れることはない。また密閉パッキン３２が抽出フィルター５の上面に圧接するので、周囲に湯が漏れていくことがない。
【００４８】
ポンプ４は手動で押圧していくが、押圧する力によりコーヒー抽出フィルター５から抽出されたコーヒーは、パッキン１４のスリット１４ｃを開放させ、コーヒーがコップ２内に滴下していく。図９Ｄは、ポンプ４を一番下まで押圧した状態を示す。抽出し終わったら、ポンプ４を上方に移動させて本体３から脱出させる。
【００４９】
ポンプ４の下部に取り付けられたパッキン４１の圧接部４１ｃとテーパ部４１ｄの構成により、ポンプ４を上下動させるときは、ポンプ４を垂直軸まわりに回転させながらの上下動が可能である。ポンプ４のポンプ本体４０と本体３の内壁面は密着していない。従って、手動操作するときの負荷を軽減することができる。また、パッキン４１の底面により空気層Ａｉを保持したままその下の湯を押圧していくことになるが、パッキン４１の圧接部４１ｃが本体３の内壁に密着しており、湯が漏れてしまうことはない。さらに、ポンプ４を下方に摺動するときの速度により、濃さの異なるコーヒーを抽出することができる。
【００５０】
なお、湯を全部供給した後は、空気層Ａｉのみを供給することになる。最後に空気を押しこむことで、抽出フィルター５に残った残水も押し出されて液だれもなくなり、品質の良いコーヒーを抽出できる。また。抽出フィルター５も乾いた状態になり、最後の一滴まで抽出することができ、廃棄するときも乾いているので捨てやすい。
【００５１】
＜第１実施形態の変形例＞
図１０は、第１実施形態の変形例を示す断面図である。ポンプ４の内部には収容空間Ｓが形成されており、２つのコーヒー抽出フィルター５を収容することができる。コーヒーを飲みたいときに、抽出フィルター５をすぐに準備できるので便利である。また、アウトドアで利用する場合にも、スペースを有効活用しながらコーヒー抽出フィルター５を持ち運ぶことができる。
【００５２】
＜第２実施形態＞
次に、第２実施形態に係るコーヒー抽出機を図１１により説明する。なおコップ２の図示は省略している。第１実施形態は、手動によるポンプにより湯を送り込む構成であった。第２実施形態ではエアポンプ６を使用する。エアポンプ６は、ポンプ駆動部６０と電池６１を備えている。本体３の上部にはネジ結合部３３が設けられ、エアポンプ６は着脱自在に本体３の上に取り付けることができる。
【００５３】
エアポンプ６の下面中央にはエア吹き出し口６２が設けられており、ここからエアが噴出する。このエアにより本体３内に収容された湯の表面に圧力をかけることで、湯をコーヒー抽出フィルター５に送り込むことができる。エアポンプ６の外表面の適宜の箇所にスイッチを設け、このスイッチを操作することでエアポンプ６が作動する。作動時間は予め設定された時間作動するようにしてもよいし、手動でストップできるように構成してもよい。エアポンプ６の上面にはエア排出口６３が設けられている。
【００５４】
かかる構成によれば、小型のエアポンプ６を用いてコーヒーの抽出を行うことができる。電池も単三電池で十分であり、コーヒー抽出機の小型化に寄与することができる。
【００５５】
＜第３実施形態＞
次に、第３実施形態に係るコーヒー抽出機を図１２、図１３により説明する。どちらも縦断面図であるが切断する方向が互いに９０゜異なる。なおコップ２の図示は省略している。本体３は湯タンク（液体タンク）として機能し、上面開口部からお湯を注ぐことができる。
【００５６】
本体３の下部側面に液体ポンプ７が設けられている。液体ポンプ７は、ポンプ駆動部７０と駆動源としての電池７１を備えている。電池７１としては、例えば、単三電池を１つまたは２つ用いることができる。本体３の底部は中央に行くほど低くなるようなテーパ面が形成されている。中央底部には吸引流路７２と排出流路７３が設けられており、流路形成部材７４として一体化されている。吸引流路７２は吸引パイプ７２ａを介して液体ポンプ７に接続され、排出流路７３は排出パイプ７３ａを介して液体ポンプ７に接続される。
【００５７】
流路形成部材７４の下方には、排出口形成部材３４が設けられている。排出口形成部材３４は、本体３と一体結合されており、本体３の一部として機能する。なお本体３は液体ポンプ７とも一体結合されている。排出口形成部材３４には、密閉パッキン３２が設けられているが、これは第１・第２実施形態と同じ構造を用いることができる。排出口形成部材３４は、ホルダー１の上部にネジ結合により結合することができる。この結合態様は他の実施形態と同じである。これにより、本体３をホルダー１に対して着脱自在に取り付けることができる。
【００５８】
コーヒー注出を行うときは、まず、本体３に湯をいれる。他の実施形態とは異なり、この段階で湯が自然落下でコーヒー抽出フィルターの方向に向かうことはない。次に、液体ポンプ７を作動させる。不図示のスイッチを操作することで、液体ポンプ７を駆動することができる。これにより、湯を吸引流路７２を介して吸引し、排出流路７３から排出し、抽出フィルター５に湯を供給する。これにより、コーヒーを抽出することができる。
【００５９】
かかる構成によれば、小型の液体ポンプ７を用いてコーヒーの抽出を行うことができる。電池も単三電池で十分であり、コーヒー抽出機の小型化に寄与することができる。
【符号の説明】
【００６０】
Ｓ        収容空間
１        ホルダー
１０      挿入部
１１      フランジ部
１２      本体支持部
１３      フィルター収容部
１４      パッキン
１４ｃ    スリット
２        コップ
３        本体
４        蓋体
５        コーヒー抽出フィルター
６        エアポンプ
７        液体ポンプ
３１      液体排出口
３２      密閉パッキン
４０      ポンプ駆動部
４１ｃ    圧着部
４１ｄ    テーパ部
４２      蓋部
【図１】
0006666151.tif 000002
【図２】
0006666151.tif 000003
【図３】
0006666151.tif 000004
【図４】
0006666151.tif 000005
【図５】
0006666151.tif 000006
【図６】
0006666151.tif 000007
【図７】
0006666151.tif 000008
【図８】
0006666151.tif 000009
【図９Ａ】
0006666151.tif 000010
【図９Ｂ】
0006666151.tif 000011
【図９Ｃ】
0006666151.tif 000012
【図９Ｄ】
0006666151.tif 000013
【図１０】
0006666151.tif 000014
【図１１】
0006666151.tif 000015
【図１２】
0006666151.tif 000016
【図１３】
0006666151.tif 000017